(57)【要約】【課題】不正アクセス者が管理対象である居室内等に不正侵入した場合に退室できないようにする退室管理装置を実現する。【解決手段】所定区画内へのアクセス権保持者のみが知り得る所定区画内の特定箇所に設置され、入力された個人識別情報を識別する第１の退室用個人識別装置３ａと、第１の退室用個人識別装置３ａにより識別された個人識別情報と、予め設定されたアクセス権保持者の個人識別情報との照合の結果、一致する個人識別情報が存在するとき該個人識別情報のアクセス権許可登録を行う制御装置１と、入力された個人識別情報を識別し、該個人識別情報を前記制御装置１へ出力する第２の退室用個人識別装置３ｂとを備え、制御装置１は第２の退室用個人識別装置３ｂにより出力された個人識別情報がアクセス権許可登録された個人識別情報である場合に所定区画の退室扉４を開放する。【選択図】　　　　図１
2004137810.tif 000002
【特許請求の範囲】
【請求項１】
所定区画内の退室者を識別して該退室者が所定のアクセス権保持者でない場合に前記所定区画内からの退室を不能とする退室管理装置であって、
前記所定区画内へのアクセス権保持者のみが知り得る前記所定区画内の特定箇所に設置され、入力された個人識別情報を識別する第１の退室用個人識別装置と、
前記第１の退室用個人識別装置により識別された個人識別情報と、予め設定されたアクセス権保持者の個人識別情報との照合の結果、一致する個人識別情報が存在するとき該個人識別情報のアクセス権許可登録を行う制御装置と、
入力された個人識別情報を識別し、該個人識別情報を前記制御装置へ出力する第２の退室用個人識別装置と
を備え、
前記制御装置は、前記第２の退室用個人識別装置により出力された個人識別情報が前記アクセス権許可登録された個人識別情報である場合に前記所定区画の退室扉を開放する
ことを特徴とする退室管理装置。
【請求項２】
請求項１に記載の退室管理装置において、
前記所定区画内への不正侵入者の侵入を報知するセンター装置をさらに備え、前記制御装置は、前記第２の退室用個人識別装置により出力された個人識別情報が前記アクセス権許可登録された個人識別情報と一致しない場合に不正侵入者信号を前記センター装置に出力し、
前記センター装置は、前記不正侵入者信号に基づいて前記不正侵入者の侵入を報知する
ことを特徴とする退室管理装置。
【発明の詳細な説明】
【０００１】
【発明の属する技術分野】
この発明は、建物や居室等の所定の区画内からの退室者を管理する退室管理装置に関するものである。
【０００２】
【従来の技術】
建物や居室への入退室における従来の退室管理装置を含む入退室管理装置では、許可者にのみ入退室扉を解錠する入退室管理をコンピュータ制御により既に行ってきた。
従来の入退室管理装置の一般的な構成としては、入室者の個人識別情報を読み取る入室用個人識別装置と、退室者の個人識別情報を読み取る退室用個人識別装置と、これら入室用個人識別装置および退室用個人識別装置により読み取られた個人識別情報を予め設定されたアクセス権保持者の個人識別情報と照合して、照合が一致したときのみ入退室扉を一時解錠させる制御装置から成る。
【０００３】
以上のような構成を備えた従来の入退室管理装置の動作について説明する。
居室内に入ろうとする入室者がある場合、入室者は入室用個人識別装置にＩＤカードや暗証番号等により個人識別情報を入力する。制御装置は入室用個人識別装置により読み取られた個人識別情報を予め設定されている居室内に入室できるアクセス権保持者の個人識別情報との照合を行い、照合が一致する場合にのみ入退室扉を一時解錠させ、入室者を居室内に入室可能とする。これと同様にして、退室時も退室用個人識別装置により読み取られた個人識別情報とアクセス権保持者の個人識別情報との照合を行い、照合が一致する場合にのみ入退室扉を一時解錠させ、退室者を居室内から退室可能とする（例えば、特許文献１参照。）。
【０００４】
【特許文献１】
特開平２−２９４８９６号公報（第２−３頁、第１図）
【０００５】
【発明が解決しようとする課題】
従来の入退室管理装置は以上のように構成されているので、個人識別情報がＩＤカードやプッシュボタン等の暗号化データの場合、ＩＤカードの偽造や窃盗などにより暗号化データが不正アクセス者に渡り、厳重な入退室管理ができないという問題点があった。
【０００６】
この発明は、上記のような問題点を解決するためになされたものであり、不正アクセス者が管理対象である居室内等に不正侵入した場合に退室できないようにする退室管理装置を実現することを目的とする。
【０００７】
【課題を解決するための手段】
この発明に係る退室管理装置は、所定区画内の退室者を識別して該退室者が所定のアクセス権保持者でない場合に前記所定区画内からの退室を不能とする退室管理装置であって、所定区画内へのアクセス権保持者のみが知り得る所定区画内の特定箇所に設置され、入力された個人識別情報を識別する第１の退室用個人識別装置と、第１の退室用個人識別装置により識別された個人識別情報と、予め設定されたアクセス権保持者の個人識別情報との照合の結果、一致する個人識別情報が存在するとき該個人識別情報のアクセス権許可登録を行う制御装置と、入力された個人識別情報を識別し、該個人識別情報を前記制御装置へ出力する第２の退室用個人識別装置とを備え、制御装置は第２の退室用個人識別装置により出力された個人識別情報がアクセス権許可登録された個人識別情報である場合に所定区画の退室扉を開放するものである。
【０００８】
【発明の実施の形態】
図１はこの発明の実施の形態に係る退室管理装置の構成を示した平面図である。本実施の形態に係る退室管理装置の構成は、建物や居室等の所定区画内へのアクセス要求者の個人識別情報を識別する入室用個人識別装置１と、所定区画内へのアクセス権保持者のみが知り得る所定区画内の特定箇所に設置され、アクセス者により入力されたＩＤカードや暗証番号等の個人識別情報を識別する第１の退室用個人識別装置２ａと、第１の退室用個人識別装置２ａにより識別された個人識別情報と予め設定されたアクセス権保持者の個人識別情報との照合の結果、一致する個人識別情報が存在するとき個人識別情報のアクセス権許可登録を行う制御装置３と、入力された個人識別情報を識別しこの個人識別情報を制御装置３へ出力する第２の退室用個人識別装置２ｂと、不正アクセスが発生した場合に制御装置３により出力された不正侵入者信号に基づいて所定区画内への不正侵入があったことを報知して、警備員や管理人に知らせるセンター装置５とから成る。
【０００９】
上記構成における退室管理装置の動作について図２に示すフローチャートを参照しながら説明する。ここでは、退室管理装置の管理対象である所定区画内からの退室者が退室操作を行う場合の退室管理装置の具体的動作を説明する。
まず、退室者により第１の退室用個人識別装置２ａに個人識別情報の入力操作が行われた場合に（ステップＳＴ１）、制御装置３は第１の退室用個人識別装置２ａにより識別された個人識別情報と予め設定されたアクセス権保持者の個人識別情報との照合を行う（ステップＳＴ２）。照合の結果、アクセス権保持者であれば制御装置３は第２の退室用個人識別装置２ｂに対するアクセス権許可登録を行う（ステップＳＴ３）。
【００１０】
次いで、退室者により第２の退室用個人識別装置２ｂに個人識別情報の入力操作が行われた場合に（ステップＳＴ４）、制御装置３は第２の退室用個人識別装置２ｂにより識別された個人識別情報がアクセス権許可登録されている個人識別情報であるか否かのチェックを行う（ステップＳＴ５）。その結果、制御装置３はアクセス権許可登録がされていれば退室扉４を一時解錠させ（ステップＳＴ６）、一方、アクセス権許可登録がされていなければ不正アクセスが発生したと判断してセンター装置に対して不正侵入者信号を出力する（ステップＳＴ７）。
【００１１】
以上のように、本実施の形態に係る退室管理装置によれば、入力された個人識別情報を識別し、識別された個人識別情報と予め設定されたアクセス権保持者の個人識別情報との照合の結果、一致する個人識別情報が存在するとき該個人識別情報のアクセス権許可登録を行い、さらに入力された個人識別情報を識別し該個人識別情報がアクセス権許可登録された個人識別情報である場合に所定区画の退室扉を開放することにより、セキュリティー性の高い退室管理装置を実現することができる。また、制御装置３は第２の退室用個人識別装置２ｂにより出力された個人識別情報がアクセス権許可登録された個人識別情報と一致しない場合に不正侵入者信号をセンター装置５に出力し、センター装置５は不正侵入者信号に基づいて不正侵入者の侵入を報知することにより、迅速に不正侵入者への対応をとることができる。
【００１２】
【発明の効果】
この発明に係る退室管理装置によれば、入力された個人識別情報を識別し、識別された個人識別情報と予め設定されたアクセス権保持者の個人識別情報との照合の結果、一致する個人識別情報が存在するとき該個人識別情報のアクセス権許可登録を行い、さらに入力された個人識別情報を識別し該個人識別情報がアクセス権許可登録された個人識別情報である場合に所定区画の退室扉を開放することにより、セキュリティー性の高い退室管理装置を実現することができる。
【図面の簡単な説明】
【図１】この発明の実施の形態に係る退室管理装置の構成を示した平面図である。
【図２】この発明の実施の形態に係る退室管理装置の動作を示したフローチャートである。
【符号の説明】
１　入室用個人識別装置、２ａ　第１の退室用個人識別装置、２ｂ　第２の退室用個人識別装置、３　制御装置、４　退室扉、５　センター装置。
【図１】
2004137810.tif 000003
【図２】
2004137810.tif 000004